(57)【要約】  本発明は、簡単な操作で点火することができ、また点火されたハンディーウォーマーを、燃料タンクの挿入方向を切り替えるという簡単な方法で消火できるハンディーウォーマーを提供することによって、燃料の不必要な消耗を防止し、使用者に信頼感と使いやすさを提供することができることを特徴とする。【選択図】図１
2010504800.tif 000002
【特許請求の範囲】
【請求項１】
多数の空気孔を備えたケースと、
上記ケース内に設けられ、燃料燃焼用として点火部が構成されている発熱体と、
上記発熱体の上記点火部に燃料を供給することができるように、上記ケースと組み合わされる燃料タンクと、
上記ケース内に挿入される電源部と、
上記電源部から供給される電気を用い、上記発熱体に対し点火用の熱を供給するように構成された電気点火手段と、を含むことを特徴とするハンディーウォーマー。
【請求項２】
上記電気点火手段は、上記発熱体の点火部に近接した位置に設けられる熱線と、
上記ケースの外部から操作されるスイッチノブと、
上記熱線が固定され、上記スイッチノブの操作によって上記熱線を上記点火部に近づける方向（第１方向）とその第１方向と反対方向とに移動させる第1伝導体と、
上記電源部の陽極と陰極に接続された二枚の電極板と、
上記第1伝導体に接続されるとともに上記スイッチノブに組み込まれ、上記スイッチノブの操作によって上記電極板との接触状態が変化する第1スイッチプレートと、を含む請求項１記載のハンディーウォーマー。
【請求項３】
上記電気点火手段は、上記発熱体の点火部に近接した位置に設けられる熱線と、
上記ケースの外部から操作されるスイッチノブと、
上記電源部の陽極と陰極に接続された二枚の電極板と、
上記二枚の電極板から離れた位置に設けられ、上記熱線が固定されている二つの第２伝導体と、
上記スイッチノブにより直線的に移動するように構成され、それにより、上記第２伝導体を上記電極板に接続するかまたは上記第２伝導体を上記電極板から切り離す第２スイッチプレートと、を含む請求項１記載のハンディーウォーマー。
【請求項４】
上記熱線はニクロム線であって、上記熱線の太さは約０．０１ｍｍ乃至約１．０ｍｍであり、上記伝導体間の熱線の長さは約０．１ｃｍ乃至約７ｃｍである請求項２または３に記載のハンディーウォーマー。
【請求項５】
上記電源部の電圧が約１．５Ｖ乃至約９Ｖである請求項２または３に記載のハンディーウォーマー。
【請求項６】
上記燃料タンクは、上記発熱体に近づく方向（第１方向）に向けて上記ケースに挿入され、上記燃料タンクおよび上記発熱体は、上記第１方向に垂直な平面上において上記燃料タンクと上記発熱体の中心を通る直線を基準として対称となる輪郭線をそれぞれ有し、上記中心を基準にして上記発熱体の一方側に上記点火部が設けられ、上記中心を基準にして上記燃料タンクにおける上記点火部と対応する側の位置には燃料供給孔が備えられている請求項１記載のハンディーウォーマー。
【請求項７】
上記発熱体はさらにシールキャップを有し、このシールキャップは上記中心を基準にして上記発熱体の他の側に設けられている請求項６記載のハンディーウォーマー。
【請求項８】
上記燃料タンクは、その燃料タンクの上面が上記発熱体と接触するという条件で上記ケース及び発熱体に対して回動可能に設けられ、上記燃料タンク上側の一部には、上記発熱体の点火部に燃料を供給するための燃料供給孔が備えられ、上記発熱体には、上記燃料タンクが回動された場合に上記燃料供給孔をシールするシール手段が形成されている請求項１記載のハンディーウォーマー。
【請求項９】
ケースと、
そのケース内に点火部を持つように構成された発熱体とを有するハンディーウォーマーであって、
上記ハンディーウォーマーは、燃料タンクから点火部に供給される燃料を触媒反応によって燃焼させ、
上記燃料タンクは、上記発熱体に近づく方向（第１方向）に向けて上記ケース内に挿入され、
上記燃料タンクおよび上記発熱体は、上記第１方向に垂直な平面において上記燃料タンクと上記発熱体の中心を通る直線を基準として対称となる輪郭線をそれぞれ有し、
上記中心を基準にして上記発熱体の一方側に上記点火部が設けられ、
上記中心を基準にして上記燃料タンクにおける上記点火部と対応する側の位置に燃料供給孔が備えられていることを特徴とするハンディーウォーマー。
【請求項１０】
上記発熱体はさらにシールキャップを有し、このシールキャップは上記中心を基準にして上記発熱体の他の側に設けられている請求項９記載のハンディーウォーマー。
【発明の詳細な説明】
【技術分野】
【０００１】
本発明は、ハンディーウォーマー（携帯懐炉）に関するものであり、より詳細には、アルコールやガソリンなどを白金点火部を用いて燃焼させることにより発熱させ、且つポケットに入れることのできる大きさのハンディーウォーマーに関するものである。
【背景技術】
【０００２】
白金点火部を用いて燃料を燃焼させ発熱させる、一般的なハンディーウォーマーは、内部に燃料を注入し、その白金点火部をライターやマッチ等で点火するようになっている。
【０００３】
従って、一旦、白金点火部が点火された後は、ハンディーウォーマーの内部に注入された燃料が全て消費されるまでハンディーウォーマーの動作を停止させることができず、また、白金点火部を点火させるためには、マッチまたはライターなどの外部熱源が必要となる。
【０００４】
上記のようにハンディーウォーマーの動作を任意にオン／オフできないと、使用者は意図通りに操作できないことから燃料が不必要に消費され、さらには使用者の製品に対する好みも低下する。また、点火のためのマッチやライターなどの外部熱源を所持したり扱うことがしにくい子供や年少者は、ハンディーウォーマーを簡単に使用することができない。
【発明の概要】
【発明が解決しようとする課題】
【０００５】
従って、本発明は、上記従来技術における制約や不便さに起因する一または複数の問題を本質的に取り除くために提供されたものである。
【０００６】
本発明は、簡単な操作によって点火できるようにし、またその点火を簡単に消火できるハンディーウォーマーを提供することにより、燃料の不必要な消費を防止し、加えて、ハンディーウォーマーを、使用者にとって信頼感があり使いやすくするものである。
【課題を解決するための手段】
【０００７】
本発明の一実施例によるハンディーウォーマーは、多数の空気孔を備えたケースと、
上記ケース内に設けられ、燃料燃焼用として点火部が構成されている発熱体と、
上記発熱体の上記点火部に燃料を供給することができるように、上記ケースと組み合わされる燃料タンクと、
上記ケース内に挿入される電源部と、
上記電源部から供給される電気を用い、上記発熱体に対し点火用の熱を供給するように構成された電気点火手段と、を含むことを特徴とする。
【０００８】
また、上記電気点火手段は、上記発熱体の点火部に近接した位置に設けられる熱線と、
上記ケースの外部から操作されるスイッチノブと、
上記熱線が固定され、上記スイッチノブの操作によって上記熱線を上記点火部に近づける方向（第１方向）とその第１方向と反対方向とに移動させる第1伝導体と、
上記電源部の陽極と陰極に接続された二枚の電極板と、
上記第1伝導体に接続されるとともに上記スイッチノブに組み込まれ、上記スイッチノブの操作によって上記電極板との接触状態が変化する第1スイッチプレートとを含むことができる。
【０００９】
また、上記電気点火手段は、上記発熱体の点火部に近接した位置に設けられる熱線と、
上記ケースの外部から操作されるスイッチノブと、
上記電源部の陽極と陰極に接続された二枚の電極板と、
上記二枚の電極板から離れた位置に設けられ、上記熱線が固定されている二つの第２伝導体と、
上記スイッチノブにより直線的に移動するように構成され、それにより、上記第２伝導体を上記電極板に接続するかまたは上記第２伝導体を上記電極板から切り離す第２スイッチプレートと、を含むことができる。
【００１０】
また、上記熱線はニクロム線であって、上記熱線の太さは約０．０１ｍｍ乃至約１．０ｍｍであり、上記伝導体間の熱線の長さは約０．１ｃｍ乃至約７ｃｍである。
【００１１】
また、上記電源部の電圧は約１．５Ｖ乃至約９Ｖである。
【００１２】
また、上記燃料タンクは、上記発熱体に近づく方向（第１方向）に向けて上記ケースに挿入され、上記燃料タンクおよび上記発熱体は、上記第１方向に垂直な平面において上記燃料タンクと上記発熱体の中心を通る直線を基準として対称となる輪郭線をそれぞれ有し、上記中心を基準にして上記発熱体の一方側に上記点火部が設けられ、上記中心を基準にして上記燃料タンクにおける上記点火部と対応する側の位置には燃料供給孔が備えられている。
【００１３】
上記発熱体はさらにシールキャップを有し、このシールキャップは上記中心を基準にして上記発熱体の他の側に設けられている。
【００１４】
上記燃料タンクは、その燃料タンクの上面が上記発熱体と接触するという条件で上記ケース及び発熱体に対して回動可能に設けられ、上記燃料タンク上側の一部には、上記発熱体の点火部に燃料を供給するための燃料供給孔が備えられ、上記発熱体には、上記燃料タンクが回動された場合に上記燃料供給孔をシールするシール手段が形成されている。
【００１５】
本発明の他の実施例によるハンディーウォーマーは、ケースと、そのハンディーウォーマーが、燃料タンクから点火部に供給される燃料を触媒反応によって燃焼させるように、上記ケース内に点火部を持つように構成された発熱体と、を有し、上記燃料タンクは、上記発熱体に近づく方向（第１方向）に向けて上記ケース内に挿入され、上記燃料タンクおよび上記発熱体は、上記第１方向に垂直な平面において上記燃料タンクと上記発熱体の中心を通る直線を基準として対称となる輪郭線をそれぞれ有し、上記中心を基準にして上記発熱体の一方側に上記点火部が設けられ、上記中心を基準にして上記燃料タンクにおける上記点火部と対応する側の位置には燃料供給孔が備えられている。
【００１６】
上記発熱体はさらにシールキャップを有し、このシールキャップは上記中心を基準にして上記発熱体の他の側に設けられている。
【発明の効果】
【００１７】
本発明のハンディーウォーマーによれば、簡単な操作で点火ができ、また点火されたハンディーウォーマーを、燃料タンクが挿入される向きを変えるという簡単な方法によって消火することができる。
【００１８】
その結果、ハンディーウォーマーにおける不必要な燃料の消費が防止され、使用者にとってはハンディーウォーマーを信頼することができるとともに簡単に使用することができるようになる。
【図面の簡単な説明】
【００１９】
【図１】本発明の一実施例によるハンディーウォーマーを示す斜視図である。
【図２】図１におけるケースの下側を取り外した状態を示す斜視図である。
【図３】図２におけるケースの上側を取り外した状態を示す斜視面である。
【図４】発熱体と燃料タンクを示した斜視図である。
【図５】図４における燃料タンクを示した斜視図である。
【図６】発熱体を示した斜視図である。
【図７】発熱体を示した斜視図である。
【図８】燃料タンクを示した斜視図である。
【図９】本発明の一実施例による電気点火手段を示す説明図である。
【図１０】本発明の一実施例による電気点火手段を示す説明図である。
【図１１】本発明の他の実施例による電気点火手段を示す斜視図である。
【図１２】本発明の他の実施例による電気点火手段を示す斜視図である。
【発明を実施するための形態】
【００２０】
以下、図面に示した実施の形態に基づいて本発明を詳細に説明する。
【００２１】
なお、ここで開示する具体的な構成と機能の詳細は、本発明の実施例を説明するための代表的なものに過ぎず、また、本発明の実施例は多くの変形例で実施が可能であり、本発明は、ここで開示された実施例に限定して解釈されるものではない。
【００２２】
したがって、本発明は様々な変更と代替形態があるが、その具体的な実施例を図面に一例として示し詳細に説明する。そして、本発明は、開示した特定の形態に限定されるものではなく、本発明の技術思想と範囲内において、全ての変形、同等物および代替物に及ぶものである。また、図面の説明を通して、同一符号は同じ構成要素を示している。
【００２３】
また、第一、第二などの用語を、多種の構成要素を説明するために用いているが、これらの構成要素は上記の用語に限定されるものではない。これらの用語は、構成要素を互いに区別するときに用いられる。例えば、本発明の技術範囲から逸脱することなく、第一要素は第二要素と呼ぶことができ、また、第二要素は第一要素と呼ぶことができる。
【００２４】
ここで用いられる「および／または」の用語は、一の項目または関連して記載された項目の全ての組み合わせを含む。
【００２５】
構成要素が他の構成要素に「接続される」または「連結される」とある場合は、他の構成要素に直接的に接続、または連結される場合の他、介在する構成要素が存在してもよい。一方、構成要素が「直接接続される」または「直接連結される」とある場合には、介在する構成要素は存在しない。構成要素間の関係を説明する用語（例えば、「間で」に対して「間で直接に」、「隣接する」に対して「直接、隣接する」等）についても、上記と同じように解釈される。
【００２６】
ここで用いられた用語は、特定の実施例を説明するためのものであって、本発明の限定を意図するものではない。ここで用いられた単一の形態である「ある〜」および「その〜」は、文脈が明確にそうでない場合を示していない限り、複数種類も含む。ここで用いられた「から成る」、「含む」の用語は、特徴、段階、動作および/または構成要素の存在を特定するもので、一以上の他の特徴、段階、動作、構成要素および/またはそれらの集合の存在または追加を除外するものではない。
【００２７】
別段の定義がない場合、ここで用いられた全ての用語(技術的、科学的用語を含む)は、本発明が属する技術分野において通常の知識を有するものによって一般的に理解される意味と同じ意味を持つ。一般的に用いられる辞書で定義されている用語は、関連技術の意味と一致する意味をもつものと解釈されるべきであり、ここで明示的に定義されたものでない場合、理想的または過度に形式的に解釈されるべきではない。
【００２８】
図１〜図８において、本実施例のハンディーウォーマーは、多数の空気孔１を備えたケース３と、上記ケース３内に収納され、燃料を燃焼させる点火部５が設けられた発熱体７と、上記発熱体７の点火部５に燃料を供給するように上記ケース３と組み合わされた燃料タンク９と、上記ケース３内に挿入される電源部１１と、上記電源部１１から供給された電気を用いて上記発熱体７の点火部５に対し、点火用の熱を供給する電気点火手段とを含んでいる。
【００２９】
図１０及び図１１に示すように、本実施例の上記電気点火手段は、上記発熱体７の点火部５に近接した位置に設けられる熱線１３と、上記ケース３の外部から操作されるスイッチノブ１７と、上記熱線１３が固定され、上記スイッチノブ１７の操作によって上記熱線１３を上記点火部に近づける方向（第１方向）とその第１方向と反対方向とに移動させる第1伝導体１５-１と、上記電源部１１の陽極と陰極に接続された二枚の電極板１６と、上記第1伝導体１５-１に接続されるとともに上記スイッチノブ１７に組み込まれ、上記スイッチノブの操作によって上記電極板１６との接触状態が変化する第1スイッチプレート１８-１とを有している。
【００３０】
上記熱線１３と第1伝導体１５-１は、点火される際に上記スイッチノブ１７の操作によって、点火時にはスイッチノブと共に点火部５側の方向（第１方向）に移動し、ハンディーウォーマーが点火時以外の状態では、上記スイッチノブ１７の操作によって上記第１方向と反対方向に移動する。
【００３１】
上記説明では、電源部１１として電池を採用しているが、点火部５点火用の熱を供給すべく電気を発生させることができる装置であれば、電源部１１として他の装置を採用することができる。また、本発明による点火部５は、白金点火部であることが望ましいが、点火部５は必ずしも白金点火部に限定されるものではない。
【００３２】
上記スイッチノブ１７は、図示されないスプリングの付勢力により上記熱線１３を上記点火部５から離間させる方向に支持されている。それにより、使用者が上記スイッチノブ１７を押している間は上記熱線１３を上記点火部５に近接させるが、使用者がスイッチノブ１７を押していないときは、熱線１３及び上記第1伝導体１５-１を点火部５から遠ざけるようになっている。
【００３３】
なお、上記の方法によってハンディーウォーマーを操作する場合、上記点火部５により燃料を燃焼させることによって発生する熱は、上記第１伝導体１５-１を通じて電池１１に伝達されることがないため、電池１１が熱によって損傷を受けることはない。
【００３４】
上記電気点火手段の他の実施例を図１１および図１２に示す。
【００３５】
図１１および図１２において、上記電気点火手段は、上記発熱体７の点火部５に近接した位置に設けられる熱線１３と、上記ケース３の外部から操作されるスイッチノブ１７と、上記電池１１の陽極と陰極に接続された二枚の電極板１６と、上記二枚の電極板１６から離れた位置に設けられ、上記熱線１３が固定されている二つの第２伝導体１５-２と、上記スイッチノブ１７により直線的に移動するように構成され、それにより、上記第２伝導体１５-２を上記電極板１６に接続するかまたは上記第２伝導体１５-２を上記電極板１６から切り離す第２スイッチプレートと、を含んでいる。
【００３６】
ここで、上記第２伝導体１５-２及び第２スイッチプレート１８-２は、上記第１伝導体１５-１及び第１スイッチプレート１８-１と区別するために便宜上、上記のように称したもので、互いに構造と作動上の若干の差を有しているため別の名称を用いたものである。
【００３７】
上記第２伝導体１５-２及び第２スイッチプレート１８-２を除く他の構成要素については同一の名称を用い、上記第１伝導体１５-１と第２伝導体１５-２を総称する場合には単に「伝導体」と呼ぶ。
【００３８】
本実施例における電気点火手段は、上記熱線１３と第２伝導体１５-２が固定されており、上記スイッチプレート１８-２は、点火時にのみ第２伝導体１５-２を電極板１６に接続させ、その他の場合は、第２伝導体１５-２を電極板１６から離間させる。
【００３９】
その結果、点火部５において燃料を燃焼させることにより発生する熱が上記第２伝導体１５-２まで伝達されるものの、第２伝導体１５-２から電極板１６には直接伝達されない。
【００４０】
従って、点火部５において燃料を燃焼させることにより発生する熱が伝導体を介して電池１１に伝達されることがなく、それにより、電池１１が損傷する虞がない。
【００４１】
上記熱線１３は、例えば二クロム線からなり、上記熱線１３の太さは約０．０１ｍｍ〜１．０ｍｍの範囲が好ましく、また、上記伝導体１５-２間の熱線１３の長さはおよそ０．１ｃｍ〜７ｃｍの範囲であることが望ましい。
【００４２】
上記熱線１３の太さが、約０．０１ｍｍ〜１．０ｍｍの範囲を下回る場合には、簡単に切れて寿命が短くなる。加えて、ハンディーウォーマー内で組み立てることが困難になる。一方、上記熱線１３の太さが、約０．０１ｍｍ〜１．０ｍｍの範囲を超える場合には熱線１３の電気抵抗が低くなり、熱線１３が発熱しにくくなる。
【００４３】
また、熱線１３の長さがおよそ０．１ｃｍ〜7ｃｍの範囲より短い場合には、熱線１３と点火部５との接触範囲が小さくなって伝熱特性が低下するため好ましくない。加えて、ハンディーウォーマー内で組み立てることが困難になる。
【００４４】
一方、熱線１３の長さがおよそ０．１ｃｍ〜7ｃｍの範囲を超える場合には、熱線１３の電気抵抗が低くなって発熱性が低下し、結果として熱線１３の伝熱性が悪くなる。
【００４５】
上記電池１１の電圧は約１．５Ｖ〜約９Ｖの範囲であることが望ましい。
【００４６】
電圧が１．５Ｖより低い場合には、ハンディーウォーマーの点火がうまくできなくなり、９Ｖより高い場合には電池１１の消耗が多くなり電池１１の点火回数が低下するようになる。
【００４７】
上記各図面を参照すれば、上記ケース３は二つの部品で構成されており、上側のケース３には電池１１を交換するために開閉される電池カバーが形成されているとともに、上側のケース３の内部に電池１１を挿入するための空間が形成されている。
【００４８】
上記スイッチノブ１７の一部はケース３の外側に突出しており、それにより、ケース３の外側からスイッチノブ１７を操作することができるようになっている。
【００４９】
一実施例において、使用者が上記ケース３の外側から手で上記スイッチノブ１７を押すと、点火が行われるように上記熱線１３に電気が供給される。また、使用者がスイッチノブ１７から手を離すと、そのスイッチノブ１７は弾性力によって自動的に復帰し、それにより、上記熱線１３に供給されていた電気が遮断される。
【００５０】
上記ケース３の下部には、燃焼に必要な空気を供給できるように多数の空気孔１が一体に形成されている。
【００５１】
上記発熱体７はケース３の内側に固定され、上記燃料タンク９はケース３の下側から挿入されるようになっている。
【００５２】
上側のケース３は樹脂材料から製造することが好ましく、下側のケース３は上記発熱体７からの熱を容易に伝達することができるように金属材料で製造することが好ましい。
【００５３】
上記燃料タンク９は上記発熱体７に近づく方向に向けて上記ケース３内に挿入されることにより、そのケース３と組み合わされる。
【００５４】
上記燃料タンク９および上記発熱体７は、上記燃料タンク９が上記ケース３内に挿入される方向に垂直な平面において上記燃料タンク９と上記発熱体７の中心を通る直線を基準として対称となる輪郭線をそれぞれ有している。
【００５５】
上記発熱体７の一方側に上記点火部５が設けられ、上記燃料タンク９の断面の片側で上記点火部と対応する側の位置には燃料供給孔が備えられている。
【００５６】
すなわち、上記燃料タンク９が上記ケース３内に挿入された場合、上記発熱体７に燃料タンク９の上側が発熱体７と接触し、それにより、燃料タンク９は発熱体７と接続される。
【００５７】
上記燃料タンク９と上記発熱体７は、上記燃料タンク９が上記発熱体７に近づく方向(燃料タンク９がケース３内に挿入される方向）に沿った状態で上記燃料タンク９と発熱体７の中心を通る面に対し対称構造であるため、上記燃料タンク９は、上記ケース３に特定の方向で挿入することができ、また、その特定の方向から１８０°回転（反転）させた方向でケース３内に挿入することができるようになっている。
【００５８】
したがって、上記燃料タンク９の燃料供給孔２１は、上記発熱体７の下側により、上記発熱体７の点火部５に向けて開口された状態と、塞がれた状態とに切り替えられるようになっている。
【００５９】
一実施例において、発熱体７の対称面の中心を基準として上記発熱体７の片側には、シールキャップ２３が形成されている。燃料供給孔２１は上記シールキャップ２３によってシールされるように、上記シールキャップ２３内に挿入される。
【００６０】
上記燃料供給孔２１がシールキャップ２３内に挿入される方向で上記ケース３内に上記燃料タンク９が挿入されると、上記燃料タンク９の燃料供給孔２１は上記シールキャップ２３によってシールされ、その結果、燃料は上記点火部５に供給されなくなる。
【００６１】
燃料タンクをケースに挿入する方向を転換することによって、点火されたハンディーウォーマーを消火する構成は、通常のハンディーウォーマーにも簡単に適用することができる。
【００６２】
金属製カバー９-１は、上記ケース３の下側部分に接続され上記燃料タンク９をカバーするため、この上記ケース３からの伝達される熱を使用者に提供するための放熱面として機能するとともに、ハンディーウォーマーの外観を美麗にしている。
【００６３】
以下、本発明の一実施例によるハンディーウォーマーの動作を詳細に説明する。
【００６４】
ハンディーウォーマーを点火させるには、燃料供給孔２１が上記発熱体７の点火部５に面するように、上記燃料タンク９が上記ケース３に挿入されているという前提で、上記ケース３の外部に露出しているスイッチノブ１７を使用者が押下する。
【００６５】
上記スイッチノブ１７を操作することにより、上記電池１１から出力される電気は上記熱線１３に供給され、上記燃料タンク９から供給される燃料は上記点火部５における熱線１３で発生する熱によって点火される。
【００６６】
点火がなされた後に上記スイッチノブ１７から手を離すと、スイッチノブ１７は電池１１から上記熱線１３に供給されている電気を遮断する。上記点火部５に継続して供給されている燃料は、触媒反応によって燃焼し、それにより、従来技術に記載されているハンディーウォーマーと同様に、発熱する。
【００６７】
燃料が電気点火手段によって点火される場合を除いては、燃料が燃焼して発生する熱は直接、電池１１に伝達されないため、電池１１が発熱によって損傷を受けることはない。
【００６８】
上記発熱は、上記ケース３を通じて使用者に伝達される。換言すれば、使用者等の身体を加熱する機能など、ハンディーウォーマー本来の機能を実行する。
【００６９】
使用者がハンディーウォーマーの使用を中止したい場合、上記燃料タンク９を上記ケース３から分離させ、上記燃料供給孔２１が上記シールキャップ２３に面するように燃料タンク９を１８０°回転させ、次いで回転させたその燃料タンク９を上記ケース３内に挿入する。
【００７０】
その結果、燃料タンク９から点火部５に対し燃料が供給されなくなり、ハンディーウォーマーが消火される。上記燃料タンク９に残った燃料は、上記シールキャップ２３で上記燃料供給孔２１がシールされることにより漏れることがない。すなわち、残存する燃料は保存される。
【００７１】
再びハンディーウォーマーを点火させたい場合には、上記発熱体７が点火部５に面するように上記燃料タンク９を再び１８０°回転させ、次いで、燃料タンク９をケース３内に挿入する。次いで、ハンディーウォーマーを点火すべく使用者が上記スイッチノブ１７を操作すればよい。
【００７２】
本発明の他の実施例において、上記燃料タンクの上側面が上記発熱体に接触する状態で、燃料タンクを上記ケース及び発熱体に対して回動可能に設け、上記発熱体の点火部に燃料が供給されるように上記燃料タンクの上側の一部に燃料供給孔を備え、上記発熱体にシール手段を形成すれば、上記燃料タンクが回転させた場合に、上記燃料タンクの燃料供給孔がシールされる。
【００７３】
即ち、上記燃料タンクを上記発熱体及びケースに対して回動させることによって、上記燃料供給孔が上記発熱ボディの点火部に燃料を供給することができる状態と、発熱体に備えられたシール手段により燃料タンク内に燃料を留まらせる状態とに切り替えることができる。
【００７４】
また、一実施例として、上記燃料タンクを回転させることにより上記燃料供給孔が上記発熱体自身によってシールされるように上記燃料供給孔を変更することができる。
【００７５】
また、他の実施例として、上記燃料タンクが回転された場合に、追加されたゴム板で上記燃料供給孔をシールすることもできる。
【００７６】
一実施例において、上記燃料タンクを上記ケースから完全に分離することなく燃料タンクをケースに対して回転させることができる。この場合、ハンディーウォーマーを点火して発熱が生じる状態と、発熱したハンディーウォーマーを消火させる状態を容易に切り替えることができる。
【００７７】
本明細書の実施例等は、実施例に関連して説明された特定の特徴、構造、特性が、本発明の少なくとも一実施例に含まれることを意味する。明細書での多様な箇所で表示される表現は、必ずしも同一の実施例を表すものではない。特定の特徴、構造、特性がある実施例に関連して説明される場合、他の実施例に関連する特徴、構造、特性にも及ぶということは発明の属する技術分野における通常の知識を有するものに範囲内であることを意味する。
【００７８】
本実施例は多くの具体例を参照しながら説明したが、この開示の本質の精神および範囲内において、この発明の属する技術分野における通常の知識を有するものによって多くの変形と実施例を考案することが可能である。特に、開示内容、図面およびクレームの範囲内で、構成要素および/または再構成において多様な変形と変更が可能である。そして構成要素および/または再構成における多様な変形と変更は、発明の属する技術分野における通常の知識を有するものにとって代替手段としての使用が可能であることも自明である。
【符号の説明】
【００７９】
１    空気孔
３    ケース
５    点火部
７    発熱体
９    燃料タンク
１１  電池
１３    熱線
１５−１  第１伝導体
１５−２  第２伝導体
１６  電極板
１７  スイッチノブ
１８−１  第１スイッチプレート
１８−２  第２スイッチプレート
１９  電池カバー
２１  燃料供給孔
２３  シールキャップ
【図１】
2010504800.tif 000003
【図２】
2010504800.tif 000004
【図３】
2010504800.tif 000005
【図４】
2010504800.tif 000006
【図５】
2010504800.tif 000007
【図６】
2010504800.tif 000008
【図７】
2010504800.tif 000009
【図８】
2010504800.tif 000010
【図９】
2010504800.tif 000011
【図１０】
2010504800.tif 000012
【図１１】
2010504800.tif 000013
【図１２】
2010504800.tif 000014
【国際調査報告】
2010504800.tif 000015
2010504800.tif 000016